(57)【要約】【課題】アプリストアとタイムラインを連携してサービスを提供するサービス方法およびシステムが開示される。【解決手段】コンピュータで実現されるサービス方法は、アプリストアサービスを提供し、アプリストアに入店したアプリケーションのそれぞれにダウンロードページを提供し、アプリストアサービスに登録されたユーザに関する情報およびユーザごとに互いに人的関係が形成されたユーザ間の友だち情報を格納および保持し、アプリストアサービスを利用してアプリストアに入店したアプリケーションのうちから１つのアプリケーションを選択して掲示物をアップロードすることができる機能をユーザに提供し、１つのアプリケーションを選択して掲示物をアップロードしたユーザに対し、ユーザのタイムラインおよびユーザと人的関係が形成された他のユーザのタイムラインにアップロードされた掲示物を表示する。【選択図】図１
2016143372.tif 000002
【特許請求の範囲】
【請求項１】
コンピュータで実現されるサービス方法であって、
アプリストアサービスを提供し、前記アプリストアに入店したアプリケーションのそれぞれにダウンロードページを提供し、
前記アプリストアサービスに登録されたユーザに関する情報および前記ユーザごとに互いに人的関係が形成されたユーザ間の友だち情報を格納および保持し、
前記アプリストアサービスを利用して前記アプリストアに入店したアプリケーションのうちから１つのアプリケーションを選択して掲示物をアップロードすることができる機能をユーザに提供し、
前記１つのアプリケーションを選択して掲示物をアップロードしたユーザに対し、前記ユーザのタイムラインおよび前記ユーザと人的関係が形成された他のユーザのタイムラインに前記アップロードされた掲示物を表示することを特徴とするサービス方法。
【請求項２】
前記アプリストアに入店したアプリケーションは、それぞれが互いに異なるゲームの実行のために必要なアプリケーションであることを特徴とする請求項１に記載のサービス方法。
【請求項３】
前記アップロードされた掲示物の表示は、
前記１つのアプリケーションを選択してアップロードされた掲示物に、前記１つのアプリケーションと関連するテキスト、イメージ、動画、およびリンクのうち少なくとも１つを追加して前記アップロードされた掲示物を表示することを特徴とする請求項１に記載のサービス方法。
【請求項４】
前記アップロードされた掲示物を、前記選択された１つのアプリケーションのダウンロードページにさらに表示することを特徴とする請求項１に記載のサービス方法。
【請求項５】
請求項１乃至４のうちいずれか一項に記載の方法を実行するためのプログラムを記録したコンピュータ読み取り可能な記録媒体。
【請求項６】
少なくとも１つのストレージユニット、および
少なくとも１つのプロセッサ
を備え、
前記少なくとも１つのプロセッサは、
アプリストアサービスを提供し、前記アプリストアに入店したアプリケーションのそれぞれにダウンロードページを提供し、
前記アプリストアサービスに登録されたユーザに関する情報および前記ユーザごとに互いに人的関係が形成されたユーザ間の友だち情報を、前記少なくとも１つのストレージユニットに格納および保持し、
前記アプリストアサービスを利用して前記アプリストアに入店したアプリケーションのうちから１つのアプリケーションを選択して掲示物をアップロードすることができる機能をユーザに提供し、
前記１つのアプリケーションを選択して掲示物をアップロードしたユーザに対し、前記ユーザのタイムラインおよび前記ユーザと人的関係が形成された他のユーザのタイムラインに前記アップロードされた掲示物を表示することを特徴とするサービスシステム。
【請求項７】
前記アプリストアに入店したアプリケーションは、それぞれが互いに異なるゲームの実行のために必要なアプリケーションであることを特徴とする請求項６に記載のサービスシステム。
【請求項８】
前記少なくとも１つのプロセッサは、前記１つのアプリケーションを選択してアップロードされた掲示物に、前記１つのアプリケーションと関連するテキスト、イメージ、動画、およびリンクのうち少なくとも１つを追加して前記アップロードされた掲示物を表示することを特徴とする請求項６に記載のサービスシステム。
【請求項９】
前記少なくとも１つのプロセッサは、前記アップロードされた掲示物を、前記選択された１つのアプリケーションのダウンロードページにさらに表示することを特徴とする請求項６に記載のサービスシステム。
【請求項１０】
ユーザの端末機にアプリケーションをインストールするためのファイルを配布するファイル配布システムであって、
前記ファイルを格納および保持するファイル格納部と、
前記端末機の要請にしたがって前記ファイルを前記端末機に送信するファイル送信部と、
を備え、
前記アプリケーションは、
前記ユーザのタイムラインおよび前記ユーザと人的関係が形成された他のユーザのタイムラインに表示される掲示物を作成するためのユーザインタフェースを提供するように前記端末機を制御するモジュールと、
前記アプリケーションを利用して提供されるアプリストアサービスに入店されたアプリケーションのうちから１つのアプリケーションを選択して前記掲示物と関連付けるためのユーザインタフェースを提供するように前記端末機を制御するモジュールと、
前記１つのアプリケーションが選択される場合、前記掲示物に関する情報および前記選択された１つのアプリケーションに関する情報を、前記アプリストアサービスを提供するサービスサーバに送信するように前記端末機を制御するモジュールと、
を含むことを特徴とするファイル配布システム。
【請求項１１】
前記アプリストアに入店したアプリケーションは、それぞれが互いに異なるゲームの実行のために必要なアプリケーションであることを特徴とする請求項１０に記載のファイル配布システム。
【請求項１２】
前記サービスサーバは、前記１つのアプリケーションと関連する掲示物に、前記１つのアプリケーションと関連するテキスト、イメージ、動画、およびリンクのうち少なくとも１つ情報を追加し、
前記少なくとも１つの情報が追加された掲示物は、前記ユーザのタイムラインおよび前記ユーザと人的関係が形成された他のユーザのタイムラインに表示されることを特徴とする請求項１０に記載のファイル配布システム。
【請求項１３】
前記サービスサーバは、前記１つのアプリケーションと関連する掲示物を前記１つのアプリケーションに対して提供されるダウンロードページに追加することを特徴とする請求項１０に記載のファイル配布システム。
【発明の詳細な説明】
【技術分野】
【０００１】
本発明の実施形態は、アプリストアとタイムラインとを連携してサービスを提供するサービス方法およびシステムに関する。
【背景技術】
【０００２】
スマートフォンと一般の携帯電話との根本的に異なる部分は、用途に応じて応用プログラムであるアプリケーション（ａｐｐｌｉｃａｔｉｏｎ：以下、「アプリ」（Ａｐｐ）とする）を追加でインストールして活用できるか否か、という点にある。ユーザはこのようなアプリケーションを一般的にアプリストア（Ａｐｐ  ｓｔｏｒｅ）を利用してダウンロードして自身の端末機にインストールおよび活用することができる。
【０００３】
アプリストアとは、スマートフォンに搭載することができる多様なアプリを販売するオンライン上のモバイルコンテンツ市場であって、個人や企業などの開発者が開発したアプリをアプリストアにアップロードしてユーザに販売することができる。この場合、開発者はアプリの販売による手数料をアプリストアに支給する。言い換えれば、開発者は手数料を既存のアプリストアに支給し、既存のアプリストアを利用しながら開発したアプリを配布することにより、アプリに対するユーザのアクセス性を向上させることができる。
【０００４】
この反面、このような既存のアプリストアを利用せずに別途のＵＲＬを利用しながら独立した形態でアプリを提供することもできる。この場合には手数料を支払う必要がないため、手数料に対する負担が軽減されるという長所はあるが、ユーザがアプリをダウンロードするための格納位置までのアクセス性が著しく低下するという問題点がある。
【０００５】
さらに、アプリストアは、アプリに対するダウンロードページを提供する。ダウンロードページはアプリをダウンロードするためのリンクを提供し、該当のアプリに対するユーザのコメントを含む。しかし、ダウンロードページにコメントする多くのユーザは、アプリをダウンロードする前のユーザであったり、アプリのダウンロード過程に関する内容や払い戻しなどに関する付随的な内容をコメントするユーザであるため、アプリ自体に対する良質な情報の取得が困難であるという問題点がある。
【発明の概要】
【発明が解決しようとする課題】
【０００６】
既存のアプリストアを利用せずに独立した形態で提供されるアプリ（Ａｐｐ）の配布のための配布者を管理し、配布者が知人ネットワークまたは既存の営業網を活用してアプリを他のユーザに紹介および推薦するように誘導することができる配布者管理方法およびシステムを提供する。
【０００７】
アプリストアのアプリを選択し、選択されたアプリと関連してタイムライン掲示物をアップロードすることができる機能を提供し、アップロードされたタイムライン掲示物を、該当のユーザのタイムラインだけではなく該当のアプリケーションのダウンロードページに表示することにより、アプリケーションをダウンロードしようとするユーザが該当のアプリケーションに関するより多くの良質な情報またはチップを得ることができるサービス方法およびサービスシステムを提供する。
【課題を解決するための手段】
【０００８】
コンピュータで実現されるサービス方法であって、アプリストアサービスを提供し、前記アプリストアに入店したアプリケーションのそれぞれにダウンロードページを提供し、前記アプリストアサービスに登録されたユーザに関する情報および前記ユーザごとに互いに人的関係が形成されたユーザ間の友だち情報を格納および保持し、前記アプリストアサービスを利用して前記アプリストアに入店したアプリケーションのうちから１つのアプリケーションを選択して掲示物をアップロードすることができる機能をユーザに提供し、前記１つのアプリケーションを選択して掲示物をアップロードしたユーザに、前記ユーザのタイムラインおよび前記ユーザと人的関係が形成された他のユーザのタイムラインに前記アップロードされた掲示物を表示し、前記アップロードされた掲示物を、前記選択された１つのアプリケーションのダウンロードページにさらに表示するサービス方法が提供される。
【０００９】
一実施形態によると、前記アプリストアに入店したアプリケーションは、それぞれが互いに異なるゲームの実行のために必要なアプリケーションであることを特徴としてもよい。
【００１０】
他の実施形態によると、前記アップロードされた掲示物の表示は、前記１つのアプリケーションを選択してアップロードされた掲示物に、前記１つのアプリケーションと関連するテキスト、イメージ、動画、およびリンクのうち少なくとも１つを追加して前記アップロードされた掲示物を表示することを特徴としてもよい。
【００１１】
少なくとも１つのストレージユニットおよび少なくとも１つのプロセッサを備え、前記少なくとも１つのプロセッサは、アプリストアサービスを提供し、前記アプリストアに入店したアプリケーションのそれぞれにダウンロードページを提供し、前記アプリストアサービスに登録されたユーザに関する情報および前記ユーザごとに互いに人的関係が形成されたユーザ間の友だち情報を前記少なくとも１つのストレージユニットに格納および保持し、前記アプリストアサービスを利用して前記アプリストアに入店したアプリケーションのうちから１つのアプリケーションを選択して掲示物をアップロードすることができる機能をユーザに提供し、前記１つのアプリケーションを選択して掲示物をアップロードしたユーザに対し、前記ユーザのタイムラインおよび前記ユーザと人的関係が形成された他のユーザのタイムラインに前記アップロードされた掲示物を表示し、前記アップロードされた掲示物を、前記選択された１つのアプリケーションのダウンロードページにさらに表示する過程を処理することを特徴とするサービスシステムが提供される。
【００１２】
ユーザの端末機にアプリケーションをインストールするためのファイルを配布するファイル配布システムであって、前記ファイルを格納および保持するファイル格納部と、前記端末機の要請にしたがって前記ファイルを前記端末機に送信するファイル送信部と、を備え、前記アプリケーションは、前記ユーザのタイムラインおよび前記ユーザと人的関係が形成された他のユーザのタイムラインに表示される掲示物を作成するためのユーザインタフェースを提供するように前記端末機を制御するモジュールと、前記アプリケーションを利用して提供されるアプリストアサービスに入店されたアプリケーションのうちから１つのアプリケーションを選択して前記掲示物と関連付けるためのユーザインタフェースを提供するように前記端末機を制御するモジュールと、前記１つのアプリケーションが選択される場合、前記掲示物に関する情報および前記選択された１つのアプリケーションに関する情報を前記アプリストアサービスを提供するサービスサーバに送信するように前記端末機を制御するモジュールと、を備え、前記サービスサーバにおいて、前記１つのアプリケーションと関連する掲示物が前記１つのアプリケーションに対して提供されるダウンロードページに追加されることを特徴とするファイル配布システムが提供される。
【発明の効果】
【００１３】
既存のアプリストアを利用せずに独立した形態で提供されるアプリ（Ａｐｐ）の配布のための配布者を管理し、配布者が知人ネットワークまたは既存の営業網を活用してアプリを他のユーザに紹介および推薦するように誘導することができる。
【００１４】
アプリストアのアプリを選択し、選択されたアプリと関連してタイムライン掲示物をアップロードすることができる機能を提供し、アップロードされたタイムライン掲示物を、該当のユーザのタイムラインだけではなく該当のアプリケーションのダウンロードページに表示することにより、アプリケーションをダウンロードしようとするユーザが該当のアプリケーションに関するより多くの良質な情報またはチップを得ることができる。
【図面の簡単な説明】
【００１５】
【図１】本発明の一実施形態において、配布者管理環境を説明するための図である。
【図２】本発明の一実施形態において、配布者がユーザの端末機にアプリをインストールしながら配布者に関する情報を登録する例を示した図である。
【図３】本発明の一実施形態において、推薦人プログラムを利用した配布者登録の例を示した図である。
【図４】本発明の一実施形態において、メンバー募集イベント参加を利用した配布者登録の例を示した図である。
【図５】本発明の一実施形態において、その他のイベント参加を利用した配布者登録の例を示した図である。
【図６】本発明の一実施形態において、ユーザが配布者を直接登録する例を示した図である。
【図７】本発明の一実施形態において、配布者管理方法を示したフローチャートである。
【図８】本発明の他の実施形態において、配布者管理方法を示したフローチャートである。
【図９】本発明の一実施形態において、タイムライン掲示物アップロード画面の一例を示した図である。
【図１０】本発明の一実施形態において、タイムライン画面の一例を示した図である。
【図１１】本発明の一実施形態において、サービス選択画面の一例を示した図である。
【図１２】本発明の一実施形態において、サービス方法を示したフローチャートである。
【図１３】本発明の他の実施形態において、サービス方法を示したフローチャートである。
【発明を実施するための形態】
【００１６】
以下、本発明の実施形態について、添付の図面を参照しながら詳細に説明する。
【００１７】
本発明の実施形態に係る配布者管理方法によると、配布者を管理し、配布者が知人ネットワークまたは既存の営業網を活用してアプリを他のユーザに紹介および推薦するように誘導することができる。
【００１８】
より詳細には、本発明の実施形態において配布者は、配布者自身の知人ネットワークや配布者自身が所有している既存の営業網を活用してアプリを他の人に紹介および推薦することができる。このとき、配布者管理方法を実行する配布者管理システムは、このような配布者および配布者が募集したメンバー（配布者によってアプリをダウンロードしたユーザ）に関する情報を管理し、メンバーによって発生した売上げに基づいて配布者に提供される補償を決めることができる。決められた補償は配布者に提供されることにより、配布者がより多くの他のユーザにアプリを紹介および推薦するように誘導することができる。
【００１９】
図１は、本発明の一実施形態において、配布者管理環境を説明するための図である。図１は、配布者管理システム１００、複数のユーザ端末機１１０、およびサービスサーバ１２０を示している。
【００２０】
配布者管理システム１００は、上述したように、配布者とメンバーとを管理し、配布者に提供される補償を決めるシステムであってもよく、サービスサーバ１２０は、複数のユーザ端末機のうちアプリがインストールされたユーザ端末機の要請にしたがってユーザ端末機にサービスを提供するサーバであってもよい。ここで、配布者管理システム１００は、サービスサーバ１２０に含まれたシステムであってもよく、サービスサーバ１２０とは別途に構成されたサーバであってもよい。配布者管理システム１００がサービスサーバ１２０とは別途に構成されたサーバである場合には、コンピュータネットワークを介して配布者管理システム１００とサービスサーバ１２０とが互いに通信しながら必要なデータを得てもよい。例えば、配布者が募集したメンバーによってサービスサーバ１２０で発生した売上げに関する情報が、サービスサーバ１２０から配布者管理システム１００に提供されてもよい。
【００２１】
複数のユーザ端末機１１０は、サービスサーバ１２０で提供するサービスを利用中であるか当該サービスを利用可能なユーザの端末機であって、アプリのインストールが可能であり、インストールされたアプリの制御にしたがってネットワークを介してサービスサーバ１２０にアクセスしてサービス提供を受けることができる機器を含んでもよい。
【００２２】
配布者管理システム１００は、配布者に対して予め設定された情報の受信可否に基づいてメンバーの募集を確認してもよい。例えば、アプリがインストールされたユーザの端末機を利用して配布者に関する情報を受信したり、特定のイベントにユーザが参加する場合には、配布者管理システム１００は、受信した配布者に関する情報または該当のイベントに対して予め設定された配布者に関する情報を利用して特定の配布者が該当の端末機のユーザをメンバーとして募集したことを確認してもよい。
【００２３】
このようなメンバーの募集方法は、次の１）〜５）の例のように多様な方法で進めることができる。
【００２４】
１）配布者がユーザの端末機にアプリをインストールしながら配布者に関する情報を登録
２）推薦人プログラムを利用した配布者の登録
３）メンバー募集イベント参加を利用した配布者の登録
４）その他のイベント参加を利用した配布者の登録
５）ユーザが配布者を直接登録
【００２５】
上述した１）〜５）については、図２〜図６を参照しながらより詳しく説明する。
【００２６】
図２は、本発明の一実施形態において、配布者がユーザの端末機にアプリをインストールしながら配布者に関する情報を登録する例を示した図である。
【００２７】
配布者２１０は、ユーザ２２０の端末機２３０にアプリを直接インストールしてもよい。このとき、配布者２１０が端末機２３０にインストールするアプリは、別途の配布者用パッケージを利用してインストールしてもよい。
【００２８】
一例として、配布者用パッケージは、配布者２１０に別途に提供されて配布者２１０の端末機（図示せず）に格納されていてもよく、配布者２１０の端末機（図示せず）から有線または無線ネットワークを介してユーザ２２０の端末機２３０に伝達されてもよい。配布者２１０は、ユーザ２２０の端末機２３０に伝達された配布者用パッケージを利用して必要なアプリをインストールしてもよい。
【００２９】
他の例として、配布者用パッケージは、別途のＵＲＬを利用してユーザの端末機２３０にダウンロードされてもよい。配布者２１０には予め別途のＵＲＬに関する情報が提供されてもよく、配布者２１０はユーザ２２０の端末機２３０を利用して該当のＵＲＬにアクセスし、配布者用パッケージをダウンロードしてもよい。
【００３０】
配布者用パッケージによってインストールされたアプリは、アプリの最初の実行を確認し、配布者２１０の識別子（ＩＤ）入力を受けるためのユーザインタフェースが端末機２３０に提供されるように端末機２３０を制御するための機能を含んでもよい。例えば、配布者２１０がアプリを端末機２３０にインストールした後にアプリを実行すると、端末機２３０はインストールされたアプリの制御にしたがって上述したユーザインタフェースを画面に表示してもよい。このとき、配布者２１０は、ユーザインタフェースを利用して配布者２１０のＩＤを入力してもよい。
【００３１】
入力された配布者２１０のＩＤは、アプリの制御にしたがって端末機２３０を利用して図１を参照しながら説明した配布者管理システム１００に直接伝達されてもよく、または図１を参照しながら説明したサービスサーバ１２０を経て配布者管理システム１００に伝達されてもよい。配布者管理システム１００がサービスサーバ１２０に含まれる場合には、サービスサーバ１２０に配布者２１０のＩＤを伝達することが、配布者管理システム１００に配布者２１０のＩＤを伝達することに対応してもよい。このとき、配布者２１０のＩＤは、配布者２１０とユーザ２２０を互いに関連して管理するため、ユーザ２２０がユーザ２２０の端末機２３０にインストールされたアプリを利用してサービスに会員として加入した後に、配布者管理システム１００やサービスサーバ１２０に伝達されてもよい。例えば、配布者２１０のＩＤ入力とユーザ２２０のサービス加入がすべて終了した後には、サービスサーバ１２０がユーザ２２０またはユーザ２２０の端末機２３０を認識することができるため、配布者２１０のＩＤを受信した後に、配布者２１０のＩＤとユーザ２２０のＩＤを配布者管理システム１００に伝達してもよい。他の例として、配布者２１０のＩＤは、ユーザ２２０のサービス加入が完了した後、ユーザ２２０のＩＤと共に配布者管理システム１００にすぐに伝達されてもよい。
【００３２】
配布者管理システム１００は、配布者２１０のＩＤとユーザ２２０のＩＤを互いに関連して格納することにより、配布者２１０をユーザ２２０に対して登録して配布者２１０とユーザ２２０間にメンバー関係を設定してもよい。このとき、ユーザ２２０は、複数の配布者とメンバー関係を結んでもよく、複数の配布者のうちから少なくとも１人の配布者を選択してメンバー関係を結んでもよい。例えば、配布者Ａ、配布者Ｂ、および配布者Ｃがそれぞれ実行するメンバー募集イベントにユーザ２２０がすべて参加した場合、ユーザ２２０は、配布者Ａ、配布者Ｂ、および配布者Ｃすべてとメンバー関係を結ぶことができる。このとき、ユーザ２２０は、複数の配布者のうちから少なくとも１人の配布者を主配布者として選択してもよい。ユーザ２２０が配布者Ａを主配布者として選択した場合、配布者管理システム１００は、ユーザ２２０と配布者Ａのメンバー関係を主メンバー関係として設定してもよい。ここで、メンバー関係とは、配布者によってアプリをダウンロードしたユーザであるメンバーと当該配布者との関係を指す。
【００３３】
この後、配布者管理システム１００は、ユーザ２２０のサービスと関連する売上げに基づいて配布者２１０に提供される補償を決めてもよい。
【００３４】
ユーザ２２０に対して配布者２１０が登録されると、ユーザ２２０の端末機２３０でアプリが再インストール又は削除されても、配布者２１０が変更しないようにすることができる。このために、ユーザ２２０と関連する配布者２１０の情報は、配布者管理システム１００で格納および管理されてもよい。ユーザ２２０には、予め設定された期間ごと、または予め設定された期間に、配布者２１０を他の配布者に変更することができる機会が与えられてもよい。
【００３５】
図３は、本発明の一実施形態において、推薦人プログラムを利用した配布者登録の例を示した図である。本実施形態に係るアプリは、推薦人入力を受けるためのユーザインタフェースがユーザ２２０の端末機２３０に提供されるように端末機２３０を制御するための機能を含んでもよい。
【００３６】
例えば、ユーザ２２０が特定の経路（一例として、推薦人３１０のインストール誘導メッセージ）を利用してアプリのインストールのためのファイルをダウンロードしてアプリをインストールした場合に、サービス加入時に推薦人３１０のＩＤ入力を受けるためのユーザインタフェースがアプリの制御にしたがって端末機２３０に提供されてもよい。このとき、ユーザ２２０が推薦人３１０のＩＤを入力してサービス加入を完了させた場合、推薦人３１０に対して登録されている配布者２１０がユーザ２２０に対しても登録されてもよい。推薦人３１０のインストール誘導メッセージは、ＳＭＳ（Ｓｈｏｒｔ  Ｍｅｓｓａｇｅ  Ｓｅｒｖｉｃｅ）、電子メール、ソーシャルネットワークサービスなどを介してユーザ２２０に伝達されてもよい。
【００３７】
この場合、推薦人３１０には推薦人登録確認メッセージが提供されてもよく、配布者２１０には推薦人３１０と関連する新規メンバー登録確認メッセージが提供されてもよい。このようなメッセージは、サービスサーバ１２０で提供されるタイムラインを利用して推薦人３１０および配布者２１０にそれぞれ提供されてもよい。他の例として、新規メンバー登録確認メッセージは、配布者管理システム１００が配布者に提供するページやサービスを利用して配布者２１０に提供されてもよい。タイムラインとは、アプリを利用してユーザに提供されるサービスであって、互いに人的関係が設定されたユーザ（一例として、友だち）の掲示文（テキスト、イメージ、動画、サウンド、リンク、イベントなどのような情報を含んでもよい）がアップロードされた時間の順に基づいて整列されて表示される機能を含んでもよい。このようなタイムラインについては、後述でさらに詳しく説明する。ここで、「互いに人的関係が設定される」とは、単にお互いの存在を認識しているだけではなく、例えば、一方のユーザが送信した人的関係を構築するリクエストに対して、他方のユーザが承認することで構築された関係を指す。
【００３８】
図４は、本発明の一実施形態において、メンバー募集イベント参加を利用した配布者登録の例を示した図である。ここで、メンバー募集イベントは、配布者２１０によって実行されてもよい。例えば、配布者管理システム１００は、配布者２１０に提供される配布者ページを利用してメンバー募集イベントの実行を設定することができるユーザインタフェースを提供してもよい。この場合、配布者２１０は、前記ユーザインタフェースを利用して配布者管理システム１００にメンバー募集イベントを登録してもよい。このとき、登録されたメンバー募集イベントに関する情報は、配布者管理システム１００からサービスサーバ１２０に伝達されてもよい。配布者管理システム１００がサービスサーバ１２０に含まれたシステムであれば、別途の伝達過程が必要でない場合もある。
【００３９】
サービスサーバ１２０は、メンバー募集イベントに関する情報を、タイムラインを利用して複数のユーザに表示してもよい。ここで、複数のユーザは、配布者２１０のメンバー４１０と人的関係が結ばれたユーザ（友だち４２０）のうち少なくとも１人のユーザ（友だち４３０）を含んでもよい。例えば、友だちのうち少なくとも１人の友だち４３０は、配布者２１０のメンバー４１０の友だち４２０のうち、いずれの配布者ともメンバー関係が設定されていない友だちを含んでもよい。
【００４０】
特定のユーザにタイムラインを利用してメンバー募集イベントに関する情報が表示されると、前記特定のユーザは、表示された情報を利用してイベント参加を進めてもよい。例えば、メンバー募集イベントに関する情報は、配布者２１０のメンバーになるために、配布者２１０を登録するためのページへのリンクを含んでもよい。このとき、前記特定のユーザは前記リンクを利用してイベントに参加してもよく、イベント参加にしたがって配布者管理システム１００は配布者２１０と前記特定のユーザの間にメンバー関係を設定してもよい。
【００４１】
図５は、本発明の一実施形態において、その他のイベント参加を利用した配布者登録の例を示した図である。本実施形態に係るその他のイベントも、配布者２１０によって実行されてもよい。その他のイベントは、配布者管理システム１００が提供する配布者ページのユーザインタフェースを利用して実行の可否が設定されてもよい。
【００４２】
配布者２１０によってその他のイベントが実行されると、配布者管理システム１００は、サービスサーバ１２０にその他のイベントに関する情報を伝達してもよい。サービスサーバ１２０は、配布者２１０のメンバー４１０にその他のイベントに関する情報を、タイムラインを利用して表示してもよい。配布者２１０のメンバー４１０は、このようなその他のイベントに関する情報をメンバー４１０の友だち４２０と共有してもよい。例えば、サービスサーバ１２０は、タイムラインサービスを提供しながら、掲示文に対する共有機能をユーザに提供してもよい。このとき、ユーザのうち一部メンバー４１０が、前記機能を利用してメンバー４１０の友だち４２０にその他のイベントに関する情報を共有してもよい。この場合、サービスサーバ１２０は、メンバー４１０のイベント共有にしたがい、タイムラインを利用しながらその他のイベントに関する情報をメンバー４１０の友だち４２０に表示してもよい。例えば、友だちＡ、Ｂ、Ｃをもつメンバー１は、共有機能を利用して友だちＡ、Ｂ、Ｃすべてにその他のイベントに関する情報を共有してもよく、または友だちのうちから一部の友だち（一例として、友だちＢ、Ｃ）を選択してその他イベントに関する情報を共有してもよい。
【００４３】
その他のイベントに関する情報を共有した友だち４２０は、それぞれイベント参加の可否を決めてもよい。このとき、その他のイベントに対し、既に他の配布者が存在する友だちは、イベントに対する参加を不可能にしてもよい。また、他の配布者が既に存在する友だちであったとしても、予め設定された配布者変更期間には、配布者の変更を可能にしてもよい。この場合には、配布者を変更しながらイベントへの参加を可能にしてもよい。また、他の配布者が存在せずにその他のイベントに参加しようとする友だちは、いつでもその他のイベントに参加してもよい。
【００４４】
友だちがその他のイベントに参加すると、配布者管理システム１００は、配布者２１０とその他のイベントに参加した友だちの間にメンバー関係を設定してもよく、配布者２１０にメンバーが登録されたことを知らせるためのメッセージ（新規メンバー登録確認メッセージ）を伝達してもよい。
【００４５】
図６は、本発明の一実施形態において、ユーザが配布者を直接登録する例を示した図である。図６においてユーザ６１０は、どの配布者ともメンバー関係が設定されないユーザを含んでもよい。ユーザ６１０は、ユーザ６１０の端末機６２０にインストールされたアプリの制御にしたがい、端末機６２０に提供されるユーザ設定ページを利用しながらメンバー関係が設定された配布者が存在するかを確認してもよい。このとき、メンバー関係が設定された配布者が存在しない場合、ユーザ６１０は、ユーザ設定ページで特定の配布者（図６の実施形態では配布者２１０）のＩＤを入力してもよい。この場合、端末機６２０は、アプリの制御にしたがって配布者２１０のＩＤをサービスサーバ１２０に送信してもよい。
【００４６】
サービスサーバ１２０は配布者２１０のＩＤを配布者管理システム１００に伝達してもよく、配布者管理システム１００は配布者２１０とユーザ６１０との間にメンバー関係を設定してもよい。
【００４７】
この後、配布者２１０に新規メンバー登録確認メッセージが送信されてもよい。上述したように、新規メンバー登録確認メッセージは、配布者管理システム１００が提供する配布者ページを利用して配布者２１０に提供されてもよく、サービスサーバ１２０でアプリを利用して提供されるタイムラインで配布者２１０に提供されてもよい。
【００４８】
本発明の実施形態で説明するアプリは、一例として、ユーザにアプリストアを提供するためのアプリケーションであってもよい。この場合、ユーザは、アプリストアを提供するためのアプリを利用して多様な他のアプリをダウンロードして利用してもよい。本発明の実施形態に係る配布者は、アプリストアを提供するためのアプリを他のユーザがインストールするように説明または誘導してもよい。例えば、配布者は、スマートフォン販売を業とする者であってよい。この場合、スマートフォン販売者は、スマートフォン購買者にスマートフォンを販売しながらアプリストアを提供するためのアプリを説明およびインストールしてもよく、スマートフォン販売者自身を配布者として登録してもよい。スマートフォン購買者がアプリストアを提供するためのアプリを利用しながら予め設定された行為（一例として、アプリストア内の他のアプリの購買、他のアプリ内のサービスやデジタルアイテムを購買）を実行する場合、配布者であるスマートフォン購買者には、予め設定された行為に基づいた補償（一例として、スマートフォン購買者がアプリストアを提供するためのアプリと関連して発生させた売上げに基づいた補償）が提供されてもよい。
【００４９】
図７は、本発明の一実施形態において、配布者管理方法を示したフローチャートである。本実施形態に係る配布者管理方法は、上述した配布者管理システム１００によって実行されてもよい。配布者管理システム１００は、少なくとも１つのストレージユニットと少なくとも１つのプロセッサを備えたコンピュータで実現されてもよく、配布者管理方法に含まれた各ステップは、少なくとも１つのプロセッサによって処理されてもよい。
【００５０】
ステップ７１０で、配布者管理システム１００は、配布者に関する情報をデータベースに格納および管理してもよい。配布者は、他のユーザに対してアプリケーションに関する説明およびアプリケーションのインストールを誘導するように予め選定されたユーザを含んでもよい。このような配布者に関する情報は、配布者が予め選定されるときに、配布者管理システム１００に入力されてデータベースに格納および管理されてもよい。このとき、データベースは、配布者管理システム１００が備える少なくとも１つのプロセッサの処理にしたがって少なくとも１つのストレージユニットに格納および管理されてもよい。
【００５１】
ステップ７２０で、配布者管理システム１００は、ユーザの端末機を利用して、予め設定されたアプリケーションと関連して受信される情報を利用して配布者に関する情報を確認してもよい。
【００５２】
他の実施形態として、配布者管理システム１００は、ステップ７２０で、ユーザの端末機にアプリケーションがインストールされる過程で入力される配布者の識別子を受信するステップ（図示せず）、および受信した配布者の識別子を配布者に関する情報として確認するステップ（図示せず）をさらに実行してもよい。配布者がユーザの端末機に直接アプリケーションをインストールする場合に配布者が配布者の識別子を直接入力する例は、図２を参照しながら上述したとおりである。この場合、配布者管理システム１００は、端末機に受信される配布者の識別子を配布者に関する情報として確認してもよい。配布者管理システム１００が、図１を参照しながら説明したサービスサーバ１２０とは別途のシステムである場合には、サービスサーバ１２０とのネットワーク通信を介してデータの伝達を受けることができることは上述したとおりである。
【００５３】
さらに他の実施形態として、配布者管理システム１００は、ステップ７２０で、配布者とメンバー関係が設定された他のユーザからユーザに伝達されたメッセージに基づいて端末機にアプリケーションがインストールされる場合、アプリケーションの制御に基づいて端末機でユーザに提供されるユーザインタフェースを利用して入力される他のユーザの識別子を受信するステップ（図示せず）、および受信した他のユーザの識別子に基づいてデータベースで配布者に関する情報を確認するステップ（図示せず）をさらに実行してもよい。図３では、推薦人プログラムを利用した配布者登録の例を詳しく説明したため、繰り返される説明は省略する。
【００５４】
さらに他の実施形態として、配布者管理システム１００は、ステップ７２０で、配布者からメンバー募集イベントに関する情報登録を受けるステップ（図示せず）、アプリケーションがインストールされた端末機で、アプリケーションの制御にしたがって端末機を利用してユーザに提供されるメンバー募集イベントにユーザが参加する場合に、メンバー募集イベントと関連する情報を受信するステップ（図示せず）、およびメンバー募集イベントと関連する情報および登録されたメンバー募集イベントに関する情報を利用して配布者に関する情報を確認するステップ（図示せず）を実行してもよい。メンバー募集イベントについては、図４を参照しながら詳しく説明したとおりである。配布者管理システム１００は、ユーザが参加したメンバー募集イベントに関する情報を利用して配布者を識別してもよい。
【００５５】
さらに他の実施形態として、配布者管理システム１００は、ステップ７２０で、配布者からその他のイベントに関する情報の登録を受けるステップ（図示せず）、アプリケーションがインストールされた端末機で、配布者とメンバー関係が設定された他のユーザの共有によってユーザに提供されるその他のイベントにユーザが参加する場合に、その他イベントと関連する情報を受信するステップ（図示せず）、およびその他のイベントと関連する情報および登録されたその他のイベントに関する情報を利用して配布者に関する情報を確認するステップ（図示せず）を実行してもよい。図５では、配布者のメンバーとメンバーの友だちとの間のその他のイベントの共有によってその他のイベントがユーザに提供され、その他のイベントの参加によってユーザと関連して配布者がマッチングされることを説明した。配布者管理システム１００は、ユーザが参加したその他のイベントに関する情報を利用して配布者を識別してもよい。
【００５６】
さらに他の実施形態として、配布者管理システム１００は、ステップ７２０で、アプリケーションがインストールされた端末機で、アプリケーションの制御にしたがって端末機を利用してユーザにユーザページが提供される場合に、ユーザページに入力される配布者の識別子を受信するステップ（図示せず）、および配布者の識別子を配布者に関する情報として確認するステップを実行してもよい。図６を参照しながら説明したように、ユーザはアプリケーションが提供するユーザインタフェース（一例として、ユーザページのユーザ情報設定インタフェース）を利用して配布者の識別子を入力してもよく、配布者管理システム１００は入力された配布者の識別子を利用して配布者を識別してもよい。
【００５７】
ステップ７３０で、配布者管理システム１００は、配布者に関する情報とユーザに関する情報を互いに関連させてデータベースに格納することにより、配布者とユーザとの間にメンバー関係を設定してもよい。このとき、１人の配布者は多数のユーザとメンバー関係を結ぶことができるが、１人のユーザは１人の配布者だけとメンバー関係を結ぶように設定されてもよい。このとき、ユーザに対する設定された配布者は、一定の期間ごとに、または一定の期間以後に変更を可能にしてもよい。
【００５８】
ステップ７４０で、配布者管理システム１００は、ユーザがアプリケーションを利用して予め設定された行為を実行する場合、ユーザと関連してデータベースに格納された配布者に提供するための補償を予め設定された行為に基づいて決めてもよい。一例として、予め設定された行為は、アプリケーションで販売される他のアプリケーション、商品、サービス、またはデジタルコンテンツを購買する行為、および他のアプリケーションを端末機にインストールする行為のうち少なくとも１つの行為を含んでもよい。他の例として、アプリケーションは、複数の他のアプリケーションを提供するアプリストアサービスを提供してもよい。この場合、予め設定された行為は、複数の他のアプリケーションのうち少なくとも１つの他のアプリケーションを端末機にインストールする行為、および少なくとも１つの他のアプリケーションの商品、サービス、またはデジタルコンテンツを購買する行為のうち少なくとも１つを含んでもよい。
【００５９】
図８は、本発明の他の実施形態において、配布者管理方法を示したフローチャートである。本実施形態に係る配布者管理方法は、ユーザの端末機によって実行されてもよい。このとき、ユーザの端末機にはアプリケーションがインストールされてもよく、アプリケーションには配布者管理方法が含むステップを端末機が実行するように端末機を制御するためのモジュールが含まれてもよい。
【００６０】
ステップ８１０で、端末機は、アプリケーションの最初の実行時に配布者に関する情報入力を受けるためのユーザインタフェースまたは配布者とメンバー関係が設定された他のユーザに関する情報入力を受けるためのユーザインタフェースを画面に表示してもよい。ここで、配布者に関する情報入力を受けることは、図２を参照しながら説明したように、配布者がアプリケーションを直接ユーザの端末機にインストールしながら配布者の識別子を入力する例に対応してもよく、他のユーザに関する情報入力を受けることは、図３を参照しながら説明したように、ユーザが推薦人の識別子を入力する例に対応してもよい。
【００６１】
ステップ８２０で、端末機は、配布者によってサービスサーバに登録されるメンバー募集イベントまたはその他のイベントに基づいてサービスサーバが提供するタイムラインサービスを利用してイベント情報を画面に表示し、イベント情報に基づいたユーザのイベント参加の可否に関する情報をサービスサーバに送信してもよい。メンバー募集イベントとその他のイベントについては、図４および図５を参照しながら詳しく上述したとおりである。
【００６２】
ステップ８３０で、端末機は、ユーザから配布者に関する情報入力を受けるためのユーザインタフェースを画面に表示してもよい。
【００６３】
図８において、ステップ８２０は、ステップ８１０で配布者に関する情報や他のユーザに関する情報が入力されない場合に実行されてもよく、ステップ８３０は、ステップ８２０でイベント参加の可否にしたがい、ユーザによって配布者がメンバー関係として設定されない場合に実行されてもよい。
【００６４】
配布者に関する情報、他のユーザに関する情報、またはイベント参加の可否に関する情報を利用し、サービスサーバに含まれたりまたはサービスサーバと連携する配布者管理システムで配布者とユーザとが互いに連携して格納されることにより、配布者とユーザとの間にメンバー関係が設定されてもよい。
【００６５】
端末機にインストールされるアプリケーションは、ファイル配布システムから送信されるファイルによって端末機にインストールされてもよい。このため、ファイル配布システムは、前記ファイルを格納および保持するファイル格納部（図示せず）、および端末機の要請にしたがって前記ファイルを端末機に送信するファイル送信部（図示せず）を備えてもよい。
【００６６】
図７および図８で省略された内容は、図１〜図６を参照することができる。
【００６７】
図９は、本発明の一実施形態において、タイムライン掲示物アップロード画面の一例を示した図である。画面９００は、ユーザのモバイル端末機画面の一例を示している。ユーザは、本発明の実施形態で説明したアプリ（アプリケーション）の制御にしたがってモバイル端末機の画面９００に表示されるユーザインタフェースを利用し、テキスト、イメージ、動画、リンクのように多様なデータを含む掲示物をサービスサーバ１２０にアップロードしてもよい。
【００６８】
図１０は、本発明の一実施形態において、タイムライン画面の一例を示した図である。画面１０００は、ユーザがアップロードした掲示物がアップロードされた時間の順に基づいて整列され、ユーザのモバイル端末機に表示される画面の一例を示している。このとき、１人のユーザに対してすべての掲示物が表示されるのではなく、該当のユーザと人的関係が結ばれたユーザ（友だち）の掲示物がユーザのタイムラインに表示されてもよい。追加で、サービスサーバ１２０で提供する告知事項やイベント情報、または上述した配布者のイベント情報なども、掲示物としてユーザのタイムラインに表示されてもよい。
【００６９】
図１１は、本発明の一実施形態において、サービス選択画面の一例を示した図である。画面１１００は、本発明の実施形態で説明したアプリがアプリストアとして入店した複数のゲームアプリを複数のサービスとして提供する場合、各ゲームに対して選択的にタイムラインのための掲示物をアップロードすることができる例を説明している。一例として、ユーザが図１１で「ゲーム選択」インタフェースをタッチした場合、図１１の画面１１００がユーザに提供されてもよい。例えば、ユーザは、特定のゲームに対するユーザの達成度を自慢するための掲示物を掲載したり特定のゲームに対するゲームチップを提供するために掲示物を掲載する場合に、図１１の画面１１００のように提供されるユーザインタフェースを利用して所望するゲームを選択してもよい。このとき、特定のゲームに対する掲示物には、該当する特定のゲームと関連するテキスト、イメージ、動画、またはリンクなどが自動で追加されてもよい。
【００７０】
アプリストアは、アプリストアに入店したゲーム別にゲームダウンロードページを提供してもよい。このとき、ユーザが特定のゲームを選択してアップロードした掲示物は、ユーザおよびユーザと人的関係が形成された他のユーザ（友だち）のタイムラインに表示されるだけでなく、該当のゲームのゲームダウンロードページに表示されてもよい。したがって、ゲームをダウンロードしようとするユーザは、該当のゲームに関するより多くの情報またはチップを得られるようになる。また、特定のゲームを選択してアップロードする掲示物は、該当のゲームを直接プレイしたことのあるユーザの掲示物である可能性が高いため、ゲームをダウンロードしようとするユーザは、より良質な情報またはチップを得られるようになる。
【００７１】
本実施形態に係るタイムラインサービスは、配布者によってインストールされたアプリケーションによってユーザに提供されるアプリストアを利用してサービスされてもよい。しかし、このようなタイムラインサービスは、既存のアプリストア（一例として、既存のプラットフォーム事業者（グーグル（登録商標）、アップル（登録商標）など）が運営中であるアプリストア）に適用され、ユーザが特定のゲームを選択してアップロードした掲示物を、互いに人的関係が形成されたユーザ間に共有できるようにサービスが提供されてもよい。例えば、既存のプラットフォーム事業者のアプリストアを利用して１つのアプリケーションを選択して掲示物をアップロードできる機能と、該当のユーザのタイムラインおよび該当のユーザと人的関係が形成された他のユーザのタイムラインにアップロードされた掲示物を表示する機能が提供されてもよい。言い換えると、本実施形態において、タイムラインサービスが適用される「アプリストア」とは、多数のアプリケーションが入店し、このような多数のアプリケーションのダウンロード機能をユーザに提供するプラットフォームを意味してもよい。
【００７２】
図１２は、本発明の一実施形態において、サービス方法を示したフローチャートである。本実施形態に係るサービス方法は、サービスシステムによって実行されてもよい。ここで、サービスシステムは、上述したサービスサーバ１２０に対応してもよい。サービスシステムは少なくとも１つのストレージユニットと少なくとも１つのプロセッサを備えてもよく、サービス方法が含むステップは少なくとも１つのプロセッサによって処理されてもよい。
【００７３】
ステップ１２１０で、サービスシステムは、アプリストアサービスを提供し、アプリストアに入店したアプリケーションのそれぞれにダウンロードページを提供してもよい。一例として、アプリストアサービスは、ユーザの端末機にインストールされるアプリケーション（アプリストアアプリケーション）を利用してユーザに提供されてもよい。
【００７４】
ステップ１２２０で、サービスシステムは、アプリストアサービスに登録されたユーザに関する情報およびユーザごとに互いに人的関係が形成されたユーザ間の友だち情報を格納および保持してもよい。このとき、友だち情報は、サービスシステムが含む少なくとも１つのプロセッサの処理にしたがって少なくとも１つのストレージユニットに格納および保持されてもよい。
【００７５】
ステップ１２３０で、サービスシステムは、アプリストアサービスを利用してアプリストアに入店したアプリケーションのうちから１つのアプリケーションを選択して掲示物をアップロードすることができる機能をユーザに提供してもよい。ユーザは、ユーザの端末機にインストールされるアプリケーション（アプリストアプリケーション）を利用しながら、アプリストアに入店したアプリケーションのうちから１つのアプリケーションを選択するためのユーザインタフェースの提供を受けてもよく、掲示物をアップロードすることができるユーザインタフェースの提供を受けてもよい。ユーザによって１つのアプリケーションが選択されると、サービスシステムは、ユーザの端末機から受信される選択されたアプリケーションに関する情報と掲示物に関する情報を確認してもよい。
【００７６】
ステップ１２４０で、サービスシステムは、１つのアプリケーションを選択して掲示物をアップロードしたユーザに対し、ユーザのタイムラインおよびユーザと人的関係が形成された他のユーザのタイムラインにアップロードされた掲示物を表示してもよい。ユーザと人的関係が形成された他のユーザは、上述した友だち情報を利用して識別されてもよい。
【００７７】
ステップ１２５０で、サービスシステムは、アップロードされた掲示物を、選択された１つのアプリケーションのダウンロードページにさらに表示してもよい。アプリケーションのダウンロードとは関係なく、特定のアプリケーションに対して掲示文を掲載するユーザは、該当のアプリケーションに関する良質な情報を取り扱う可能性が高い。したがって、ダウンロードページにはより良質な情報が追加されるようになる。
【００７８】
他の実施形態として、アプリストアに入店したアプリケーションは、それぞれ互いに異なるゲームの実行のために必要なアプリケーションであってもよい。この場合、本発明の実施形態に係るアプリストアは、多数のゲームを提供するモバイルゲームポータルの役割を実行してもよい。
【００７９】
さらに他の実施形態として、サービスシステムは、ステップ１２４０で、１つのアプリケーションを選択してアップロードされた掲示物に、１つのアプリケーションと関連するテキスト、イメージ、動画、およびリンクのうち少なくとも１つを追加して前記アップロードされた掲示物を表示してもよい。
【００８０】
図１３は、本発明の他の実施形態において、サービス方法を示したフローチャートである。本実施形態に係るサービス方法は、ユーザの端末機によって実行されてもよい。端末機にはアプリストアサービスの提供のためのアプリケーションがインストールされてもよく、該当のアプリケーションはサービス方法が含むステップを端末機が実行するように端末機を制御するためのモジュールを含んでもよい。
【００８１】
ステップ１３１０で、端末機は、ユーザのタイムラインおよび前記ユーザと人的関係が形成された他のユーザのタイムラインに表示される掲示物を作成するためのユーザインタフェースを提供してもよい。ユーザと人的関係が形成された他のユーザは、アプリストアサービスを提供するサービスサーバで保持される友だち情報を利用して識別されてもよい。友だち情報は、互いに人的関係が形成されたユーザ間の情報を含んでもよい。ここで、サービスサーバは、図１２で説明したサービスシステムに対応してもよい。
【００８２】
ステップ１３２０で、端末機は、アプリケーションを利用して提供されるアプリストアサービスに入店されたアプリケーションのうちから１つのアプリケーションを選択して掲示物と関連付けるためのユーザインタフェースを提供してもよい。掲示物とアプリケーションを関連付けるためのユーザインタフェースについては、図１１の一例を参照しながら詳しく説明したため、繰り返される説明は省略する。
【００８３】
ステップ１３３０で、端末機は、１つのアプリケーションが選択される場合、掲示物に関する情報と前記選択された１つのアプリケーションに関する情報を、アプリストアサービスを提供するサービスサーバに送信してもよい。
【００８４】
このとき、サービスサーバで、１つのアプリケーションと関連する掲示物が１つのアプリケーションに対して提供されるダウンロードページに追加されてもよい。上述したように、アプリケーションのダウンロードとは関係なく、特定のアプリケーションに対して掲示文を掲載するユーザは、該当のアプリケーションに関する良質な情報を取り扱う可能性が高い。したがって、ダウンロードページにはより良質な情報が追加されるようになる。
【００８５】
また、アプリストアに入店したアプリケーションは、それぞれ互いに異なるゲームの実行のために必要なアプリケーションであってもよい。
【００８６】
これだけでなく、サービスサーバで、１つのアプリケーションと関連する掲示物に、１つのアプリケーションと関連するテキスト、イメージ、動画、およびリンクのうち少なくとも１つ情報が追加されてもよい。この場合、少なくとも１つの情報の追加された掲示物が、ユーザのタイムラインおよびユーザと人的関係が形成された他のユーザのタイムラインに表示されてもよい。
【００８７】
図１２および図１３で省略された内容は、図１〜図１１を参照することができる。
【００８８】
このように、本発明の実施形態によると、既存のアプリストアを利用せずに独立した形態で提供されるアプリ（Ａｐｐ）の配布のための配布者を管理し、配布者が知人ネットワークまたは既存の営業網を活用しながらアプリを他のユーザに紹介および推薦するように誘導することができる。さらに、アプリストアのアプリを選択し、選択されたアプリと関連してタイムライン掲示物をアップロードすることができる機能を提供し、アップロードされたタイムライン掲示物を、該当のユーザのタイムラインだけではなく該当のアプリケーションのダウンロードページに表示することにより、アプリケーションをダウンロードしようとするユーザは、該当のアプリケーションに関するより多くの良質な情報またはチップを得ることができる。
【００８９】
上述した装置は、ハードウェア構成要素、ソフトウェア構成要素、および／またはハードウェア構成要素およびソフトウェア構成要素の組み合わせによって実現されるコンピュータシステムであってもよい。例えば、実施形態で説明された移動通信端末機やファイル配布システムまたはその構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータシステムまたは特殊目的コンピュータシステムを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを知ることができる。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００９０】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらうち１つ以上の組み合わせを含んでもよく、所望するとおりに動作するように処理装置を構成したり、独立的または結合的に（ｃｏｌｌｅｃｔｉｖｅｌｙ）処理装置を命令してもよい。ソフトウェアおよび／またはデータは、処理装置によって解釈されたり、処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的にまたは一時的に具体化（ｅｍｂｏｄｙ）されてもよい。ソフトウェアはネットワークによって連結したコンピュータシステム上に分散され、分散した方法によって格納されたり実行されてもよい。ソフトウェアおよびデータは、１つ以上のコンピュータで読み取り可能な記録媒体に格納されてもよい。
【００９１】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００９２】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００９３】
したがって、異なる実施形態であっても、特許請求の範囲と均等なものであれば、添付される特許請求の範囲に属する。
【符号の説明】
【００９４】
１００：配布者管理システム
１１０：ユーザ端末機
１２０：サービスサーバ
【図１】
2016143372.tif 000003
【図２】
2016143372.tif 000004
【図３】
2016143372.tif 000005
【図４】
2016143372.tif 000006
【図５】
2016143372.tif 000007
【図６】
2016143372.tif 000008
【図７】
2016143372.tif 000009
【図８】
2016143372.tif 000010
【図１２】
2016143372.tif 000011
【図１３】
2016143372.tif 000012
【図９】
2016143372.tif 000013
【図１０】
2016143372.tif 000014
【図１１】
2016143372.tif 000015